(57)【要約】【課題】  原稿が載置されるプラテンと、プラテン上に配置された原稿を読み取る光学読取手段とを備えた画像読取装置において、プラテン上にセットされた原稿の厚みを簡単に検出できるようにする。【解決手段】  原稿Ｐが載置されるプラテン２１と、プラテン２１の上に載置された原稿Ｐを読み取る光学読取装置２２とを備えた画像読取装置２０において、プラテン２１の上に載置された原稿Ｐの少なくとも１辺を差し込んで位置決めさせるオーバーハング部２４ａを設け、オーバーハング部２４ａに差し込まれた原稿Ｐの端部位置を光学読取装置２２により検知して、原稿Ｐの厚みを検出するようにした。【選択図】  図３
2017005599.tif 000002
【特許請求の範囲】
【請求項１】
原稿が載置されるプラテンと、プラテンの上に載置された原稿を読み取る光学読取装置とを備えた画像読取装置において、前記のプラテンの上に載置された原稿の少なくとも１辺を差し込んで位置決めさせるオーバーハング部を設け、前記のオーバーハング部に差し込まれた原稿の端部位置を前記の光学読取装置により検知して、原稿の厚みを検出することを特徴とする画像読取装置。
【請求項２】
請求項１に記載の画像読取装置において、原稿を位置決めさせる前記のオーバーハング部の面が、原稿の差し込み方向に向かうに連れてプラテンに対する高さが減少するテーパー状に形成されていることを特徴とする画像読取装置。
【請求項３】
請求項２に記載の画像読取装置において、原稿を位置決めさせるテーパー状に形成されたオーバーハング部のテーパー面を低摩擦係数の材料で構成したことを特徴とする画像読取装置。
【請求項４】
請求項１に記載の画像読取装置において、前記のオーバーハング部が、原稿の差し込み方向に向かうに連れてプラテンに対する高さが次第に減少する段差状に形成されていることを特徴とする画像読取装置。
【請求項５】
請求項１〜請求項４の何れか１項に記載の画像読取装置において、前記の光学読取装置は、オーバーハング部に差し込まれた原稿の端部位置を検知する動作と、検知プラテンの上に載置された原稿を読み取る動作とを連続して行うことを特徴とする画像読取装置。
【請求項６】
請求項１〜請求項５の何れか１項に記載の画像読取装置において、前記のプラテンの開閉を行うプラテンカバーを開けた際に、オーバーハング部に差し込まれた原稿の端部をオーバーハング部から抜き出す方向に送る原稿送り部材を設けたことを特徴とする画像読取装置。
【請求項７】
請求項１〜請求項６の何れか１項に記載の画像読取装置を備えた画像形成装置において、給紙カセットに収容された記録シートの厚みを記憶手段に記憶させ、前記の画像読取装置によって検出された原稿の厚みと、前記の記憶手段に記憶されている記録シートの厚みとを比較して、給紙させる記録シートを選択することを特徴とする画像形成装置。
【請求項８】
請求項７に記載の画像形成装置において、前記の画像読取装置によって検出された原稿の厚みに近い記録シートを選択して給紙することを特徴とする画像形成装置。
【発明の詳細な説明】
【技術分野】
【０００１】
本発明は、原稿が載置されるプラテンと、プラテン上に載置された原稿を読み取る光学読取装置とを備えた画像読取装置及びこのような画像読取装置を備えた画像形成装置に関するものである。特に、前記の画像読取装置において、プラテン上にセットされた原稿の厚みを簡単に検出できるようにした点に特徴を有するものである。
【背景技術】
【０００２】
従来から、複写機、ファクシミリ、スキャナー等において、原稿における画像情報等を画像読取装置によって読み取るにあたっては、画像読取装置におけるプラテン上に原稿を載置させ、このプラテンの下から光学読取装置によって載置された原稿における画像情報等を読み取るようにしている。
【０００３】
そして、このような画像読取装置を用いた画像形成装置においては、前記のように画像読取装置によって原稿における画像情報等を読み取ると共に、適当な給紙カセットから適当な記録シートを給紙させ、この記録シートに対して、前記の画像読取装置によって読み取った画像情報等に基づいた画像を形成するようにしている。
【０００４】
また、近年においては、このように原稿における画像情報等に基づいた画像を記録シートに形成するにあたり、厚みが原稿と同じ或いは原稿に近い厚さの記録シートに対して画像を形成することが要望されるようになった。
【０００５】
ここで、このように厚みが原稿と同じ或いは原稿に近い厚さの記録シートに対して画像を形成させる場合には、原稿の厚みを検出し、この原稿の厚みに対応する記録シートを選択して給紙させて画像形成することが必要になる。
【０００６】
しかし、ユーザーが原稿の厚みを測定することは困難であり、また原稿の厚みが分かっていたとしても、ユーザーが、この原稿の厚みに対応する記録シートを適当な給紙カセットから適切に選択して画像形成を行うことも困難であった。
【０００７】
また、従来においては、自動原稿送り装置を備えた画像読取装置において、原稿における画像を読み取る位置に原稿を導く前に、自動原稿送り装置において原稿の厚みを検出し、この検出結果に基づいて、原稿を送るローラーの回転速度を制御して、読み取る位置に導かれる原稿の速度を、原稿の厚みに応じて適切に制御するようにしたものも存在した。
【０００８】
しかし、自動原稿送り装置において原稿の厚みを検出する場合に、原稿を読み取る位置に導く途中においてジャム等が生じて原稿が傷ついたり、また原稿の厚みを検出するために別の装置等も設けることが必要になって、コストが高く付いたり、装置が大型化したりするという問題があった。
【０００９】
また、従来においては、プラテン上に載置された原稿における画像情報等を、プラテンの下から光学読取装置によって読み取るにあたり、プラテン上に原稿を載置させた後、開閉カバーによりこのプラテンの上を覆う際に、プラテン上に載置された原稿の位置がずれるのを防止するため、特許文献１に示されるように、原稿を位置決めしてセットさせるプラテンの少なくとも一辺にオーバーハング部を設け、このオーバーハング部とプラテンとの間に原稿の端部を挿入させて、プラテン上に載置された原稿の位置がずれるのを防止するようにしたものが提案されている。
【００１０】
しかし、この特許文献１に示されるものにおいては、プラテン上に載置された原稿の厚みを検出したり、このように検出した原稿の厚みに対応する記録シートを選択して給紙させて画像形成を行うことについては一切示されておらず、前記のような問題を解決することはできなかった。
【先行技術文献】
【特許文献】
【００１１】
【特許文献１】特開２００９−１５７２１８号公報。
【発明の開示】
【発明が解決しようとする課題】
【００１２】
本発明は、原稿が載置されるプラテンと、プラテン上に配置された原稿を読み取る光学読取装置とを備えた画像読取装置において、プラテン上にセットされた原稿の厚みを簡単に検出できるようにすると共に、この画像読取装置によって検出された原稿の厚みに対応して、適当な厚みの記録シートを適切に選択して給紙し、原稿の厚みに対応した記録シートに対して適切に画像を形成できるようにすることを課題とするものである。
【課題を解決するための手段】
【００１３】
本発明に係る画像読取装置においては、前記のような課題を解決するため、原稿が載置されるプラテンと、プラテンの上に載置された原稿を読み取る光学読取装置とを備えた画像読取装置において、前記のプラテンの上に載置された原稿の少なくとも１辺を差し込んで位置決めさせるオーバーハング部を設け、前記のオーバーハング部に差し込まれた原稿の端部位置を前記の光学読取装置により検知して、原稿の厚みを検出するようにした。
【００１４】
そして、この画像読取装置においては、前記のように原稿の少なくとも１辺をオーバーハング部に差し込んで位置決めさせ、この状態で、オーバーハング部に差し込まれた原稿の端部位置を光学読取装置により検知することにより、プラテンの上に載置された原稿の厚みを適切に検出することができるようになる。
【００１５】
ここで、前記の画像読取装置においては、オーバーハング部に差し込まれた原稿の端部位置を光学読取装置により検知して、プラテンの上に載置された原稿の厚みを検出するにあたり、原稿を位置決めさせるオーバーハング部の面を、原稿の差し込み方向に向かうに連れてプラテンに対する高さが減少するテーパー状に形成することができる。この場合、原稿をオーバーハング部に差し込む際に、原稿がテーパー状になったオーバーハング部のテーパー面に引っ掛かったりするのを防止するため、オーバーハング部のテーパー面を低摩擦係数の材料で構成することが好ましい。
【００１６】
また、前記の画像読取装置においては、オーバーハング部に差し込まれた原稿の端部位置を光学読取装置により検知して、プラテンの上に載置された原稿の厚みを検出するにあたり、原稿を位置決めさせるオーバーハング部を、原稿の差し込み方向に向かうに連れてプラテンに対する高さが次第に減少する段差状に形成することもできる。
【００１７】
また、前記の画像読取装置においては、前記のプラテンの開閉を行うプラテンカバーを開けた際に、オーバーハング部に差し込まれた原稿の端部をオーバーハング部から抜き出す方向に送る原稿送り部材を設けることができる。このようにすると、端部がオーバーハング部に差し込まれた原稿をプラテンから取り出す際に、原稿が傷ついたりすることなく、オーバーハング部に差し込まれた原稿をプラテンから簡単に取り出すことができるようになる。
【００１８】
また、前記の画像読取装置において、前記の光学読取装置によって、オーバーハング部に差し込まれた原稿の端部位置を検知する動作と、プラテンの上に載置された原稿を読み取る動作とを連続して行うようにすると、原稿の厚みの検出と、原稿の読み取りとを一連の動作でまとめて行うことができ、これらの作業を別々に行う場合に比べて、これらの作業を短時間で行えるようになる。
【００１９】
また、本発明の画像形成装置においては、前記のような画像読取装置を用いて原稿の厚みを検出すると共に、給紙カセットに収容された記録シートの厚みを記憶手段に記憶させ、前記の画像読取装置によって検出した原稿の厚みと、この記憶手段に記憶された記録シートの厚みとを比較して、給紙させる記録シートを選択するようにした。
【００２０】
このようにすると、画像読取装置によって検出した原稿の厚みに近い厚みの記録シートを簡単に選択して給紙することができるようになる。
【発明の効果】
【００２１】
本発明に係る画像読取装置においては、前記のように原稿の少なくとも１辺をオーバーハング部に差し込んで位置決めさせ、この状態で、オーバーハング部に差し込まれた原稿の端部位置を光学読取装置により検知することにより、プラテンの上に載置された原稿の厚みを簡単に検出することができるようになる。
【００２２】
また、このような画像読取装置を用いた画像形成装置において、前記のようにプラテンの上に載置された原稿の厚みを検出すると共に、給紙カセットに収容された記録シートの厚みを記憶手段に記憶させ、前記の画像読取装置によって検出された原稿の厚みと、前記の記憶手段に記憶されている記録シートの厚みとを比較して、給紙させる記録シートを選択させるようにすると、原稿の厚みに近い記録シートを簡単に選択して給紙し、原稿の厚みに対応した記録シートに対して適切に画像を形成することが簡単に行えるようになる。
【図面の簡単な説明】
【００２３】
【図１】本発明の実施形態に係る画像読取装置を用いた画像形成装置の内部構造を示した概略説明図である。
【図２】前記の実施形態に係る画像読取装置において、プラテンの長手方向一端側にプラテンの幅方向に沿って設けられた位置決め部材に、原稿の１辺を差し込んで位置決めさせるオーバーハング部を設けた状態を示した概略平面図である。
【図３】前記の実施形態に係る画像読取装置において、前記のオーバーハング部に原稿の差し込み方向に向かうに連れてプラテンに対する高さが次第に減少するテーパー面を設け、厚い原稿と薄い原稿とをオーバーハング部に差し込んで、これらの原稿の端部をオーバーハング部のテーパー面に当接させて位置決めさせた状態を示した部分拡大説明図である。
【図４】前記の実施形態に係る画像読取装置を用いた画像形成装置において、画像読取装置の光学読取装置によって検出したオーバーハング部に差し込まれた原稿の端部位置に基づいて、プラテンの上に載置された原稿の厚みを検出し、このように検出した原稿の厚みに対応した記録シートを選択して画像形成を行う構成を示したブロック図である。
【図５】前記の実施形態に係る画像読取装置において、プラテンの上に載置させる原稿の角部が折れている状態を示した概略平面図である。
【図６】前記の実施形態に係る画像読取装置において、図５に示すように角部が折れている原稿の端部を、位置決め部材に設けたオーバーハング部に差し込んだ状態を示した部分平面図である。
【図７】前記の実施形態に係る画像読取装置において、前記のオーバーハング部に原稿の差し込み方向に向かうに連れてプラテンに対する高さが次第に減少するように複数の段部を設け、厚い原稿と薄い原稿とをオーバーハング部に差し込んで、これらの原稿の端部をオーバーハング部の適当な段部に当接させて位置決めさせる変更例を示した部分拡大説明図である。
【図８】前記の実施形態に係る画像読取装置において、プラテンの幅方向一端側にプラテンの長手方向に沿って設けられた位置決め部材に、原稿の１辺を差し込んで位置決めさせるオーバーハング部を設けた変更例を示した概略平面図である。
【図９】前記の実施形態に係る画像読取装置において、前記の位置決め部材を、原稿を載置させるプラテンの長手方向一端側と幅方向一端側との双方において交差するように設けると共に、交差する位置決め部材にそれぞれオーバーハング部を交差するように設けた変更例を示した概略平面図である。
【図１０】前記の実施形態に係る画像読取装置において、原稿を載置させるプラテンの上に開閉可能に設けられたプラテンカバーからプラテンの上に載置された原稿Ｐに接触するようにして原稿送り部材を設けた変更例を示し、（Ａ），（Ｂ）は、プラテンカバーの開閉に伴って、前記の原稿送り部材を前記のオーバーハング部に対して原稿を出し入れする方向に回動させる状態を示した概略説明図である。
【発明を実施するための最良の形態】
【００２４】
次に、本発明の実施形態に係る画像読取装置及び画像形成装置を添付図面に基づいて具体的に説明する。なお、本発明に係る画像読取装置及び画像形成装置は、下記の実施形態に示したものに限定されず、その要旨を変更しない範囲において適宜変更して実施できるものである。
【００２５】
この実施形態においては、図１に示すように、画像形成装置１の上に、プラテン２１の上に載置された原稿Ｐの画像情報をプラテン２１の下に設けられた光学読取装置２２によって読み取るようにした画像読取装置２０を設けている。
【００２６】
ここで、前記の画像形成装置１においては、その内部に４つのイメージングカートリッジ１０Ａ〜１０Ｄを設けると共に、複数（実施形態では３つ）の給紙カセット１１１，１１２，１１３に設け、これらの給紙カセット１１１，１１２，１１３にそれぞれ厚みの異なる記録シートＳ１，Ｓ２，Ｓ３を収容させるようにしている。そして、給紙カセット１１１には厚みが厚い記録シートＳ１を、給紙カセット１１２には厚みが普通の記録シートＳ２を、給紙カセット１１３には厚みが薄い記録シートＳ３を収容させている。
【００２７】
また、前記の各イメージングカートリッジ１０Ａ〜１０Ｄにおいては、感光体１１、この感光体１１の表面を帯電させる帯電装置１２、帯電された感光体１１の表面に前記の画像読取装置によって読み取られた原稿Ｐの画像情報等に応じた露光を行って感光体１１の表面に静電潜像を形成する露光装置１３、感光体１１の表面に形成された静電潜像にトナーを供給してトナー画像を形成する現像装置１４等を設けており、また各イメージングカートリッジ１０Ａ〜１０Ｄにおける各現像装置１４においては、それぞれ収容させるトナーの色彩を異ならせ、黒色、黄色、マゼンタ色、シアン色のトナーを収容させている。
【００２８】
そして、この画像形成装置１においては、前記の各イメージングカートリッジ１０Ａ〜１０Ｄにおいて、それぞれ感光体１１の表面を帯電装置１２によって帯電させ、このように帯電された各感光体１１の表面に、それぞれ露光装置１３によって前記の画像読取装置２０によって読み取った原稿Ｐの画像情報等に応じた露光を行って、各感光体１１の表面にそれぞれ画像情報に応じた静電潜像を形成し、各感光体１１の表面に形成された静電潜像に、前記の各現像装置１４からそれぞれの色彩のトナーを供給して、各感光体１１の表面にそれぞれの色彩のトナー画像を形成するようにしている。
【００２９】
次いで、このように各イメージングカートリッジ１０Ａ〜１０Ｄにおける各感光体１１の表面に形成された各色彩のトナー画像を、中間転写ベルト１５に順々に転写させて、この中間転写ベルト１５の上に合成されたトナー画像を形成するようにしている。
【００３０】
そして、前記の複数の給紙カセット１１１，１１２，１１３に収容された記録シートＳ１，Ｓ２，Ｓ３の中から適当な記録シートＳを、各給紙カセット１１１，１１２，１１３に対応して設けられた給紙ローラー１１４，１１５，１１６により給紙してタイミングローラー１６に導き、このタイミングローラー１６により記録シートＳを、適当なタイミングで前記の中間転写ベルト１５と転写ローラー１７との間に導き、中間転写ベルト１５上に形成された前記のトナー画像を、この記録シートＳに転写させるようにしている。
【００３１】
また、前記のようにしてトナー画像が転写された記録シートＳを定着装置１８に導き、この定着装置１８において、前記のトナー画像を記録シートＳに定着させ、その後、トナー画像が定着された記録シートＳを排紙ローラー１９によって排紙させるようにしている。
【００３２】
ここで、前記の画像読取装置２０においては、プラテン２１の上にプラテンカバー２３を開閉可能に設け、このプラテンカバー２３を開けてプラテン２１の上に原稿Ｐを載置させ、前記のプラテンカバー２３を閉じた後、プラテン２１の上に載置された原稿Ｐにおける画像情報を、プラテン２１の下に設けられた光学読取装置２２によって読み取るようにしている。
【００３３】
そして、この画像読取装置２０において、プラテン２１の上に載置された原稿Ｐにおける画像情報を光学読取装置２２によって読み取るにあたっては、プラテン２１の下に設けられた第１走査ユニット２２１と第２走査ユニット２２２とを原稿Ｐの幅方向と交差するプラテン２１の長手方向に走査させ、第１走査ユニット２２１に設けられた光源２２１ａからプラテン２１の上に載置された原稿Ｐに向けて光を照射させ、原稿Ｐにおいて反射された光を第１走査ユニット２２１に設けられた第１反射ミラー２２１ｂにより反射させて第２走査ユニット２２２に導くようにしている。次いで、このように導かれた光をこの第２走査ユニット２２２に設けられた第２反射ミラー２２２ａと第３反射ミラー２２２ｂとにおいて反射させ、第３反射ミラー２２２ｂにおいて反射された光をレンズ部材２２３に導き、このレンズ部材２２３により原稿Ｐから反射された光をＣＣＤラインセンサー等の撮像素子２２４に結像させて、原稿Ｐにおける画像情報を読み取るようにしている。
【００３４】
ここで、この画像読取装置２０においては、図１〜図３に示すように、原稿Ｐを載置させるプラテン２１の長手方向一端側において、原稿Ｐの一端側の位置決めを行う位置決め部材２４をプラテン２１の幅方向に設けると共に、この位置決め部材２４に原稿Ｐの１辺を差し込んで位置決めさせるオーバーハング部２４ａを設けるようにしている。
【００３５】
そして、この実施形態においては、前記のオーバーハング部２４ａを、原稿Ｐの差し込み方向に向かうに連れてプラテン２１に対する高さが減少するテーパー状に形成すると共に、このオーバーハング部２４ａのテーパー状になったテーパー面２４ｂを低摩擦係数の材料で構成するようにした。
【００３６】
このようにオーバーハング部２４ａのテーパー面２４ｂを低摩擦係数の材料で構成すると、原稿Ｐの１辺をオーバーハング部２４ａに差し込んで位置決めさせる際に、原稿Ｐがオーバーハング部２４ａのテーパー面２４ｂに引っ掛かったりすることがなく、原稿Ｐの１辺がオーバーハング部２４ａに適切に差し込まれて、適切に位置決めされるようになる。
【００３７】
ここで、前記のようにプラテン２１の上に載置させてオーバーハング部２４ａに差し込む原稿Ｐの厚みが異なる場合、原稿Ｐがオーバーハング部２４ａのテーパー面２４ｂに当接されてオーバーハング部２４ａに差し込まれる距離が変化し、例えば、図３に示すように、厚みが厚い原稿Ｐ１の場合においては、オーバーハング部２４ａに差し込まれる距離が短くなる一方、厚みが薄い原稿Ｐ２の場合においては、オーバーハング部２４ａに差し込まれる距離が長くなる。
【００３８】
そして、この実施形態における画像読取装置２０においては、オーバーハング部２４ａに差し込まれて位置決めされた原稿Ｐの端部位置を、前記の光学読取装置２２によって検出するようにし、例えば、図３に示すように、オーバーハング部２４ａに差し込まれた厚みが厚い原稿Ｐ１の端部位置ｐ１や、厚みが薄い原稿Ｐ２の端部位置ｐ２を、光学読取装置２２によって検出するようにしている。
【００３９】
ここで、オーバーハング部２４ａに差し込まれた原稿Ｐの端部位置を光学読取装置２２によって検出するにあたっては、オーバーハング部２４ａのテーパー面２４ｂにおいて反射される光の光量と原稿Ｐにおいて反射される光の光量との変化を検知し、これに基づいて、オーバーハング部２４ａに差し込まれた原稿Ｐの端部位置を検出するようにしている。
【００４０】
また、このようにオーバーハング部２４ａに差し込まれた原稿Ｐの厚みを算出するにあたっては、図４に示すように、前記の光学読取装置２２によって検出された原稿Ｐの端部位置の結果を、オーバーハング部２４ａのテーパー面２４ｂの傾斜情報等が記憶されている原稿厚み算出手段３０に出力し、この原稿厚み算出手段３０によってオーバーハング部２４ａに差し込まれた原稿Ｐの厚みを算出するようにしている。
【００４１】
そして、前記の画像形成装置１において、前記の画像読取装置２０によって原稿Ｐの厚みを検出すると共に、プラテン２１の上に載置された原稿Ｐにおける画像情報を読み取り、原稿Ｐに対応した適当な厚みの記録シートＳを選択して画像を形成するにあたっては、前記の各給紙カセット１１１，１１２，１１３に収容された記録シートＳ１，Ｓ２，Ｓ３の厚みを記憶手段３１に記憶させ、前記の原稿厚み算出手段３０によって算出された原稿Ｐの厚みの結果と、前記の記憶手段３１に記憶された各記録シートＳ１，Ｓ２，Ｓ３の厚みとを比較手段３２によって比較し、この比較手段３２によって比較された結果に基づいて、給紙カセット選択手段３３により、前記の各給紙カセット１１１，１１２，１１３の中から、前記の原稿厚み算出手段３０によって算出された原稿Ｐの厚みに近い厚みの記録シートＳを選択して給紙させるようにしている。
【００４２】
ここで、例えば、図３に示す厚い原稿Ｐ１が検出された場合には、図１に示す厚い記録シートＳ１が収容された給紙カセット１１１を選択して、この給紙カセット１１１から厚い記録シートＳ１を給紙させるようにする一方、図３に示す薄い原稿Ｐ２が検出された場合には、図１に示す薄い記録シートＳ３が収容された給紙カセット１１３を選択して、この給紙カセット１１３から薄い記録シートＳ３を給紙させるようにする。
【００４３】
なお、図５に示すように、原稿Ｐの角部Ｐｃが折れている場合において、この原稿Ｐを前記のオーバーハング部２４ａに差し込むと、図６に示すように、折れている原稿Ｐの角部Ｐｃはオーバーハング部２４ａに差し込まれる距離が短くなる一方、この角部Ｐｃから離れるに従ってオーバーハング部２４ａに差し込まれる原稿Ｐの距離が長くなり、前記の光学読取装置２２によって検出される原稿Ｐの厚みを複数の位置で検知した場合に、各位置において検出される原稿Ｐの厚みが変化すると共に、プラテン２１の上に載置された原稿Ｐが若干傾斜した状態になる。
【００４４】
このように光学読取装置２２によって検出される原稿Ｐの厚みが各位置において変化する場合には、プラテン２１の上に原稿Ｐが適切に載置されていないことがあるため、例えば、画像形成装置１の操作パネル（図示せず）に原稿のセット不良を表示させるようにすることができる。また、このような状態で原稿Ｐの厚みを検出して画像形成を行う場合には、原稿Ｐの折れた角部Ｐｃから離れた位置における原稿Ｐの厚みを検出し、このように検出した原稿Ｐの厚みに基づいて、各給紙カセット１１１，１１２，１１３の中から、原稿Ｐの厚みに近い厚みの記録シートＳを給紙して、画像形成を行うようにすることができる。
【００４５】
なお、前記の画像読取装置２０においては、原稿Ｐを載置させるプラテン２１の長手方向一端側において、原稿Ｐの一端側の位置決めを行う位置決め部材２４を設け、この位置決め部材２４におけるオーバーハング部２４ａに、原稿Ｐの差し込み方向に向かうに連れてプラテン２１に対する高さが減少するテーパー状になったテーパー面２４ｂを設けたものを用いるようにしたが、オーバーハング部２４ａの形状はこのようなテーパー状のものに限定されない。
【００４６】
例えば、図７に示すように、原稿Ｐの差し込み方向に向かうに連れてプラテン２１に対する高さが次第に減少するように複数の段部２４ｃを設け、オーバーハング部２４ａに差し込んだ原稿Ｐを適当な位置の段部２４ｃに当接させて位置決めさせ、前記のようにオーバーハング部２４ａに差し込まれた厚みが厚い原稿Ｐ１の端部位置ｐ１や、厚みが薄い原稿Ｐ２の端部位置ｐ２を、前記の光学読取装置２２により検出して、プラテン２１の上の載置された原稿Ｐの厚みを検出させるようにすることができる。
【００４７】
また、前記の画像読取装置２０においては、原稿Ｐを載置させるプラテン２１の長手方向一端側において、原稿Ｐの一端側の位置決めを行う位置決め部材２４を設け、この位置決め部材２４に原稿Ｐの少なくとも１辺を差し込むオーバーハング部２４ａを設けるようにしたが、原稿Ｐの一端側の位置決めを行う位置決め部材２４を設ける位置は、このような位置に限定されない。
【００４８】
例えば、図８に示すように、原稿Ｐを載置させるプラテン２１の幅方向一端側において、プラテン２１の長手方向に沿うように位置決め部材２４を設け、この位置決め部材２４に原稿Ｐの少なくとも１辺を差し込むオーバーハング部２４ａを設けるようにしたり、図９に示すように、前記の位置決め部材２４を、原稿Ｐを載置させるプラテン２１の長手方向一端側と幅方向一端側との双方において交差するように設けると共に、交差する位置決め部材２４にそれぞれオーバーハング部２４ａを交差するように設け、原稿Ｐの交差する２辺を、前記の交差するように設けられたオーバーハング部２４ａに差し込むようにすることもできる。
【００４９】
また、図１０（Ａ），（Ｂ）に示すように、原稿Ｐを載置させるプラテン２１の上に開閉可能に設けられたプラテンカバー２３からプラテン２１の上に載置された原稿Ｐに接触するようにして原稿送り部材２５を設け、この原稿送り部材２５をプラテンカバー２３の開閉に伴って前記のオーバーハング部２４ａに対して原稿Ｐを出し入れする方向に回動させるようにすることができる。
【００５０】
このようにすると、図１０（Ａ）に示すように、プラテンカバー２３を閉じる場合には、前記の原稿送り部材２５により、プラテン２１の上に載置された原稿Ｐが位置決め部材２４に向けて押され、原稿Ｐの端部がオーバーハング部２４ａに適切に差し込まれて、オーバーハング部２４ａのテーパー面２４ｂに適切に当接されて位置決めされるようになる。また、図１０（Ｂ）に示すように、プラテンカバー２３を開放させる場合には、前記の原稿送り部材２５がプラテン２１の上に載置された原稿Ｐをオーバーハング部２４ａから送り出す方向に回動されて、この原稿送り部材２５によりオーバーハング部２４ａに差し込まれた原稿Ｐの端部がオーバーハング部２４ａから抜き出されるようになり、プラテン２１の上に載置された原稿Ｐを取り出す際に、原稿Ｐが傷ついたりすることなく、オーバーハング部２４ａに端部が差し込まれた原稿Ｐをプラテン２１の上から簡単に取り出すことができるようになる。
【符号の説明】
【００５１】
１  画像形成装置
１０Ａ，１０Ｂ，１０Ｃ，１０Ｄ  イメージングカートリッジ
１１  感光体
１２  帯電装置
１３  露光装置
１４  現像装置
１５  中間転写ベルト
１６  タイミングローラー
１７  転写ローラー
１８  定着装置
１９  排紙ローラー
２０  画像読取装置
２１  プラテン
２２  光学読取装置
２３  プラテンカバー
２４  位置決め部材、２４ａ  オーバーハング部、２４ｂ  テーパー面、２４ｃ  段部
２５  原稿送り部材
３０  原稿厚み算出手段
３１  記憶手段
３２  比較手段
３３  給紙カセット選択手段
１１１，１１２，１１３  給紙カセット
１１４，１１５，１１６  給紙ローラー
２２１  第１走査ユニット、２２１ａ  光源、２２１ｂ  第１反射ミラー
２２２  第２走査ユニット、２２２ａ  第２反射ミラー、２２２ｂ  第３反射ミラー
２２３レンズ部材
２２４撮像素子
Ｐ，Ｐ１，Ｐ２  原稿
ｐ１，ｐ２  端部位置
Ｐｃ  角部
Ｓ，Ｓ１，Ｓ２，Ｓ３  記録シート
【図１】
2017005599.tif 000003
【図２】
2017005599.tif 000004
【図３】
2017005599.tif 000005
【図４】
2017005599.tif 000006
【図５】
2017005599.tif 000007
【図６】
2017005599.tif 000008
【図７】
2017005599.tif 000009
【図８】
2017005599.tif 000010
【図９】
2017005599.tif 000011
【図１０】
2017005599.tif 000012